(57)【特許請求の範囲】
【請求項１】
患者の血液を体外に導出させて循環させる手段と、
レーザー光を拡散または分散させて照射する光拡散または光分散手段と、
該光拡散または光分散手段に対してレーザー光を照射する照射手段とからなり、
該照射手段は前記循環させる手段の内部へレーザー光を照射するように該循環させる手段の外部に設けられ、
前記照射手段から照射されたレーザー光を受けて内部反射により拡散または分散させて循環する血液に直接照射するように前記光拡散または光分散手段を前記循環させる手段の内部途中に配設したこと
を特徴とするレーザー光を使用したガン治療装置。
【請求項２】
光拡散または光分散手段は、
少なくとも１箇所に設けてあること
を特徴とする請求項１に記載のレーザー光を使用したガン治療装置。
【請求項３】
光拡散または光分散手段は、
ダイヤモンドカットを施した透明または半透明鉱石であること
を特徴とする請求１または２に記載のレーザー光を使用したガン治療装置。
【請求項４】
血液を循環させる手段はチューブ状を呈するものであって、
該チューブ状の内部に光拡散または光分散手段を４５°傾斜させて設けたこと
を特徴とする請求項１乃至３のいずれかに記載のレーザー光を使用したガン治療装置。
【発明の詳細な説明】
【０００１】
【発明の属する技術分野】
本発明は、ガンの治療、特に、白血病の治療に使用されるレーザー光を用いたガン治療装置に関するものである。
【０００２】
【従来の技術】
従来からガンの治療にレーザー光を使用することが知られている。この場合の治療手段としては、レーザー光をガン細胞に直接照射し、細胞組織を破壊させて消滅させるようにするものである。従って、レーザー光の使用は、ガンの種類によって必然的に制限されるものである。
【０００３】
血液のガンといわれている白血病は、未熟な白血球細胞（悪性腫瘍）が骨髄などの造血器の中で無制限に増えて正常な白血球細胞の増殖が押さえられ、血液中に未熟な白血球が異常に増加する病気であり、肝臓、脾臓、腎臓、リンパ節、脳等の全身の臓器に白血病細胞が増殖し、出血したり細菌に感染したりするものであり、急性白血病と慢性白血病とがあって、ほとんどが骨髄性のガンであるといわれている。
【０００４】
【発明が解決しようとする課題】
ところで、白血病においては、その治療方法として骨髄移植が最も注目されている免疫抑制療法であり、ＨＬＡ抗原タイプの同じ人から採取した骨髄細胞を静脈注射するものであるが、現状では骨髄提供者（ドナー）が非常に少なく、治療法として骨髄移植が自由に行えないのが実状である。
【０００５】
また、骨髄移植ができたにしても、ドナーのリンパ球が患者の体内で増殖し、臓器を攻撃する、いわゆる移植片対宿主病（ＧＶＨＤ）等の問題点がある。
【０００６】
更に、化学的な治療法として、免疫抑制剤の「サイクロスポリンＡ」（登録商標）を投与し、免疫抑制を強化することも行われているが、強力な免疫抑制による感染症を発症するという厄介な問題点も有している。
【０００７】
従って、従来の白血病の治療においては、骨髄移植の問題点を回避し、効果的な治療が任意に行えるようにすること、および感染症を発症する心配がないようにすることに解決課題を有している。
【０００８】
【課題を解決するための手段】
前記従来例の課題を解決するために本発明に係る発明は、患者の血液を体外に導出させて循環させる手段と、レーザー光を拡散または分散させて照射する光拡散または光分散手段と、該光拡散または光分散手段に対してレーザー光を照射する照射手段とからなり、該照射手段は前記循環させる手段の内部へレーザー光を照射するように該循環させる手段の外部に設けられ、前記照射手段から照射されたレーザー光を受けて内部反射により拡散または分散させて循環する血液に直接照射するように前記光拡散または光分散手段を前記循環させる手段の内部途中に配設したことを特徴とするレーザー光を使用したガン治療装置を提供するものである。
【０００９】
上記発明においては、光拡散または光分散手段は、少なくとも１箇所に設けてあること；光拡散または光分散手段は、ダイヤモンドカットを施した透明または半透明鉱石であること；血液を循環させる手段はチューブ状を呈するものであって、該チューブ状の内部に光拡散または光分散手段を４５°傾斜させて設けたこと、を付加的な要件として含むものである。
【００１０】
本発明は、レーザー光線をダイヤモンドカットを施した鉱石で拡散または分散させて照射範囲を拡大させ、それによって血液中に存在する腫瘍細胞に効率よくダメージを与えて変質させるのであり、その変質によってヒトキラーリンパ球が活性化して腫瘍細胞を攻撃し死滅させるのである。
【００１１】
【発明の実施の形態】
次に、本発明を図示の実施の形態に基づいて詳しく説明する。本発明に係る治療装置１は、輸液管２を備えるものであり、該輸液管２は、いわゆる人工透析装置と同様に、患者の血液を体外に導出させ、血液に然るべき治療処理を施した後に再度体内へ戻すために循環させる管である。
【００１２】
この輸液管２の途中に治療本体部３が着脱自在に取り付けられている。この治療本体部３は、例えば、ガラスで形成されたチューブ状を呈するものであり、その側面にレーザー光を４５゜の角度で導入できる導入部４を設け、該導入部４にレーザー光照射手段５が着脱自在に接続できる構成になっている。
【００１３】
治療本体部３の内部には、図２に示したように、光拡散または光分散手段であるダイヤモンドカットした透明な鉱石６が適宜のステー部材７を介して配設されている。この場合の配設状態は、前記導入部４の導入面に対して略平行になるように、且つ導入部４を通して照射されたレーザー光を鉱石６の中心部で受け入れる状態、つまりチューブ状の治療本体部３の中心軸の位置で、該中心軸に対して略４５゜傾けた状態で配設されている。
【００１４】
ここで使用される透明な鉱石６というのは、いわゆるダイヤモンドであって、好ましくは、８６面体にカットした「ＤＩＡＮＡ  ＳＵＮ」（登録商標）ダイヤモンドを使用するのが良い。要するに、カット面が多いことによってレーザー光の拡散または分散が多くなり、広い範囲に照射が可能になるからである。その他に、水晶、ルビー、エメラルド、サファイヤなども使用できる。
【００１５】
実際の使用に際して、レーザー光照射手段５から導入部４を介して治療本体部３の内部に照射されたレーザー光８は、ダイヤモンド（鉱石６）のテーブル面を通して内部に受け入れられ、ダイヤモンド内部において、乱反射してテーブル面側からカットに対応したレーザー反射光８ａが広がった状態で照射されることになる。
【００１６】
この状態において、輸液管２を介して患者の血液を体外に導出させ、治療本体部３を通過させることにより、血液の大半が広がったレーザー反射光８ａの照射を受けることになり、血液中に存在する腫瘍細胞がレーザー反射光８ａを受けることによってヒトリンパ球の殺傷ターゲットに変質するのである。なお、図示の実施の形態では、１個のダイヤモンド（鉱石６）を使用しているが、これを複数個設けることもできる。
【００１７】
【実験例】
次に実験例により本発明を一層具体的に説明する。
ヒト血液系腫瘍細胞４種、K５６２、Jurkat、U-９３７、Daudi株を用いた。K５６２とJurkatはleukemia細胞で、U-９３７とDaudiはlymphoma細胞である。腫瘍細胞へのレーザー光の照射は、腫瘍細胞浮遊液の入ったアクリル製チャンバー内にダイヤモンド「ＤＩＡＮＡ  ＳＵＮ」（登録商標）をセットし、該ダイヤモンドに対してチャンバー外からレーザー照射を行った。
レーザー照射装置は、オサダライトサージ３０００（半導体レーザー、レーザー媒体GaAlAs、発信波長８１０ｍｍ、長田電気工業（株）社製）を用いた。
レーザー光照射時における細胞濃度は１〜２Ｘ１０5／ｍｌ、照射条件は３．０Ｗ、３分とした。
レーザー光照射後、腫瘍細胞とヒト末梢血リンパ球とを１：３０の割合で混合し、３７℃、６時間の培養後、死腫瘍細胞の割合をTrypan blue（青色素）を用いて算出した。実験の結果は図３に示したとおりである。
【００１８】
図３は、各腫瘍細胞の死細胞の割合を示すものであり、レーザー照射単独での死亡率は低いが、ヒト末梢血リンパ球との混合培養により増加する傾向にあることが明らかである。特に、leukemia細胞は、非照射細胞でもヒトリンパ球による強い細胞傷害が見られるが照射細胞ではより強く認められる。
【００１９】
また、培養後のＫ５６２細胞の形態を図４の写真（Ａ）（Ｂ）に示してある。
写真（Ａ）は、色素を取り込んでいない生腫瘍細胞の形態（大矢頭）と、ヒトリンパ球（小矢頭）を示すものである。
写真（Ｂ）は、色素を取り込んでいる死腫瘍細胞の形態（矢印）と、腫瘍細胞に複数のヒトリンパ球（小矢頭）が接着し殺傷している状況が観察できるものである。
その結果として、拡散または分散させないレーザー光の直接照射では、各腫瘍細胞を傷害する割合は低く、経時的な観察でも傷害率は増加していない。しかし、ダイヤモンド「ＤＩＡＮＡ  ＳＵＮ」（登録商標）を介して拡散または分散したレーザー照射を受けた腫瘍細胞に対して、ヒトリンパ球は優位な傷害性を示していることから、腫瘍細胞に対してレーザー照射を行い、ヒトリンパ球（ＮＫ細胞やＮＫＴ細胞）による抗腫瘍活性を効率よく誘導することによって、白血病の治療に効果的であることが発見できたのである。
【００２０】
いずれにしても、本発明においては、人工透析で行われているものと同様に、白血病の治療においても輸液管を介して患者の血液を外部に導出して循環させ、その循環途中において拡散または分散したレーザー反射光を腫瘍細胞に照射するものであるため、患者に対して大きな苦痛を与えることなく、しかも効果的な治療が比較的簡易に行えるのであり、従来行われていた骨髄移植の問題点を回避し得ると共に、感染症の心配も解消できるのである。
【００２１】
【発明の効果】
以上説明したように本発明に係るレーザー光を利用したガン治療装置は、患者の血液を体外に導出させて循環させる手段と、患者の血液を体外に導出させて循環させる手段と、レーザー光を拡散または分散させて照射する光拡散または光分散手段と、該光拡散または光分散手段に対してレーザー光を照射する照射手段とからなり、該照射手段は前記循環させる手段の内部へレーザー光を照射するように該循環させる手段の外部に設けられ、前記照射手段から照射されたレーザー光を受けて内部反射により拡散または分散させて循環する血液に直接照射するように前記光拡散または光分散手段を前記循環させる手段の内部途中に配設したことの構成によって、装置としての構成が簡単でありながら実際の使用に当たって、患者の血液に対しレーザー光を拡散または分散させて直接照射させ、それによって血液中の腫瘍細胞にダメージを与えて変質させ、ヒトキラーリンパ球を活性化させて腫瘍細胞に対する傷害力を向上させるものであり、レーザー光線をダイヤモンドカットを施した鉱石で拡散または分散させて照射範囲を拡大させ、それによって血液中に広がって存在する腫瘍細胞に効率よくダメージを与え、ヒトキラーリンパ球のターゲットとなる腫瘍細胞に変質させて死滅させるのであり、骨髄移植に代わる白血病の治療装置としていつでも簡単に使用することができるという優れた効果を奏する。
【図面の簡単な説明】
【図１】  本発明の実施の形態に係る治療装置を略示的に示した斜視図である。
【図２】  同治療装置における要部を拡大して断面で示した説明図である。
【図３】  本発明に係る治療方法を幾つかの腫瘍細胞に実施して実験した結果を示すグラフである。
【図４】  同実験における一つの腫瘍細胞について、（Ａ）はレーザー光照射前の状況を示し、（Ｂ）はレーザー光照射後の状況を示す図面代用写真である。
【符号の説明】
１  治療装置、  ２  輸液管、  ３  治療本体部、  ４  導入部、
５  レーザー光照射手段、  ６  透明または半透明な鉱石、
７  ステー部材、８  レーザー光、  ８ａ  レーザー反射光。
【図１】
0004170607.tif 000002
【図２】
0004170607.tif 000003
【図３】
0004170607.tif 000004
【図４】
0004170607.tif 000005